(57)【要約】【課題】簡易な構成で、リターン信号とプロンプタ信号とをＣＣＵからカメラ装置に送信して同時に表示させることが可能な、映像信号処理システムを提供する。【解決手段】映像信号処理システムは、カメラ装置と、前記カメラ装置に接続された映像信号処理装置とを備える。映像信号処理装置は、映像を構成するリターン信号をフレームごとに記憶するリターン用フレームメモリと、前記映像に同期する情報を構成するプロンプタ信号をフレームごとに記憶するプロンプタ用フレームメモリと、所定のタイミングで、信号の読み出し先をリターン用フレームメモリとプロンプタ用フレームメモリとで切り替えて、順次フレームごとに信号を読み出してカメラ装置に送信するセレクタとを有する。カメラ装置は、映像信号処理装置から送信された信号をリターン信号とプロンプタ信号とに分離し、それぞれ異なるモニタに表示させる信号分離部を有する。【選択図】図１
2020096312.tif 000002
【特許請求の範囲】
【請求項１】
カメラ装置と、前記カメラ装置に接続された映像信号処理装置とを備え、
前記映像信号処理装置は、
映像を構成するリターン信号をフレームごとに記憶するリターン用フレームメモリと、
前記映像に同期する情報を構成するプロンプタ信号をフレームごとに記憶するプロンプタ用フレームメモリと、
所定のタイミングで、信号の読み出し先を前記リターン用フレームメモリと前記プロンプタ用フレームメモリとで切り替えて、順次フレームごとに信号を読み出して前記カメラ装置に送信するセレクタとを有し、
前記カメラ装置は、
前記映像信号処理装置から送信された信号をリターン信号とプロンプタ信号とに分離し、それぞれ異なるモニタに表示させる信号分離部
を有することを特徴とする映像信号処理システム。
【請求項２】
前記カメラ装置の信号分離部は、分離したことにより発生したリターン信号およびプロンプタ信号のフレーム欠損箇所の補間処理を行う
ことを特徴とする請求項１に記載の映像信号処理システム。
【請求項３】
前記映像信号処理装置は、
１フレームごと、または、予め設定されたフレーム数ごとに、信号の読み出し先を切り替えさせるための切替指令を前記セレクタに送出するメモリコントローラをさらに有し、
前記セレクタは、前記メモリコントローラから送出された切替指令を取得したタイミングで、信号の読み出し先を切り替える
ことを特徴とする請求項１または２に記載の映像信号処理システム。
【請求項４】
前記映像信号処理装置は、
前記プロンプタ用フレームメモリに既に記憶されたフレームの画像情報と、新たに取得されたプロンプタ信号とを比較し、前記映像に同期する情報が変化したか否かを判定する画像比較回路と、
前記画像比較回路により前記映像に同期する情報が変化したと判定されると、信号の読み出し先を切り替えさせるための切替指令を前記セレクタに送出するメモリコントローラとをさらに有し、
前記セレクタは、前記メモリコントローラから送出された切替指令を取得したタイミングで、信号の読み出し先を切り替える
ことを特徴とする請求項１または２に記載の映像信号処理システム。
【請求項５】
前記映像信号処理装置は、
前記プロンプタ用フレームメモリに既に記憶されたフレームの画像情報と、新たに取得されたプロンプタ信号とを比較し、前記映像に同期する情報が変化したか否かを判定する画像比較回路と、
前記画像比較回路による判定結果に基づいて、前記映像に同期する情報の変化の度合いを示す情報を取得し、取得した情報に応じて設定したフレーム数ごとに、信号の読み出し先を切り替えさせるための切替指令を前記セレクタに送出するメモリコントローラとをさらに有し、
前記セレクタは、前記メモリコントローラから送出された切替指令を取得したタイミングで、信号の読み出し先を切り替える
ことを特徴とする請求項１または２に記載の映像信号処理システム。
【請求項６】
カメラ装置に接続され、
映像を構成するリターン信号をフレームごとに記憶するリターン用フレームメモリと、
前記映像に同期する情報を構成するプロンプタ信号をフレームごとに記憶するプロンプタ用フレームメモリと、
所定のタイミングで、信号の読み出し先を前記リターン用フレームメモリと前記プロンプタ用フレームメモリとで切り替えて、順次フレームごとに信号を読み出して前記カメラ装置に送信するセレクタとを有する
ことを特徴とする映像信号処理装置。
【請求項７】
カメラ装置に接続され、
映像を構成するリターン信号をフレームごとに記憶するリターン用フレームメモリと、
前記映像に同期する情報を構成するプロンプタ信号をフレームごとに記憶するプロンプタ用フレームメモリとを備えた映像信号処理装置が、
所定のタイミングで、信号の読み出し先を前記リターン用フレームメモリと前記プロンプタ用フレームメモリとで切り替えて、順次フレームごとに信号を読み出して前記カメラ装置に送信し、
前記カメラ装置が、
前記映像信号処理装置から送信された信号をリターン信号とプロンプタ信号とに分離し、それぞれ異なるモニタに表示させる
ことを特徴とする映像信号処理方法。
【発明の詳細な説明】
【技術分野】
【０００１】
本発明は、カメラ装置で撮影された映像信号（リターン信号）と、当該映像信号に同期する情報（プロンプタ信号）とを、同時に表示させるための送信処理を行う映像信号処理システム、映像信号処理装置、および映像信号処理方法に関する。
【背景技術】
【０００２】
一般的に、放送局や業務用の撮影スタジオなどには、複数台のカメラ装置と、これらのカメラ装置に接続されたカメラコントロールユニット（Camera Control Unit；以下、「ＣＣＵ」と記載する）とを備えた映像信号処理システムが設置されている。この映像信号処理システムでは、複数台のカメラ装置で撮影された映像信号（リターン信号）がＣＣＵに取り込まれて処理されることで、所定のカメラ装置のモニタに他のカメラ装置で現在撮影されている映像を表示させることができる。これにより、撮影者は、他のカメラ装置で撮影されている映像を視認しながら、自身が操作するカメラ装置の撮像方向や画角などを調整することができる。
【先行技術文献】
【特許文献】
【０００３】
【特許文献１】特開２００１−３１３８４８号公報
【発明の概要】
【発明が解決しようとする課題】
【０００４】
また、各カメラ装置側では、上述したように他のカメラ装置の映像が表示されるとともに、例えばアナウンサーが読む原稿のテキスト情報等、当該映像に同期する情報（プロンプタ信号）が、接続されたプロンプタ信号用のモニタに表示される。そのため、ＣＣＵはリターン信号とプロンプタ信号との双方を、出力対象のカメラ装置に送信する。
【０００５】
ここで、ＣＣＵと単一のシリアルケーブルで接続されている安価なカメラ装置に対しては、リターン信号とプロンプタ信号とを同時に送信することができず、カメラ装置で指定されたいずれか一方の信号のみしかカメラ装置側で表示させることができない。
【０００６】
また、ＣＣＵと複数のシリアルケーブルで接続されているカメラ装置に対しては、複数のリターン信号とプロンプタ信号とを同時に送信することができ、他のカメラ装置の映像と原稿のテキスト情報とを同時に表示させることができるが、システム構成が複雑になり高価になってしまうという問題があった。
【０００７】
本発明は、簡易な構成で、リターン信号とプロンプタ信号とをＣＣＵからカメラ装置に送信して同時に表示させることが可能な、映像信号処理システム、映像信号処理装置、および映像信号処理方法を提供することを目的とする。
【課題を解決するための手段】
【０００８】
上記目的を達成するための本発明の映像信号処理システムは、カメラ装置と、前記カメラ装置に接続された映像信号処理装置とを備え、前記映像信号処理装置は、映像を構成するリターン信号をフレームごとに記憶するリターン用フレームメモリと、前記映像に同期する情報を構成するプロンプタ信号をフレームごとに記憶するプロンプタ用フレームメモリと、所定のタイミングで、信号の読み出し先を前記リターン用フレームメモリと前記プロンプタ用フレームメモリとで切り替えて、順次フレームごとに信号を読み出して前記カメラ装置に送信するセレクタとを有し、前記カメラ装置は、前記映像信号処理装置から送信された信号をリターン信号とプロンプタ信号とに分離し、それぞれ異なるモニタに表示させる信号分離部を有することを特徴とする。
【０００９】
また、本発明の映像信号処理装置は、カメラ装置に接続され、映像を構成するリターン信号をフレームごとに記憶するリターン用フレームメモリと、前記映像に同期する情報を構成するプロンプタ信号をフレームごとに記憶するプロンプタ用フレームメモリと、所定のタイミングで、信号の読み出し先を前記リターン用フレームメモリと前記プロンプタ用フレームメモリとで切り替えて、順次フレームごとに信号を読み出して前記カメラ装置に送信するセレクタとを有することを特徴とする。
【００１０】
また、本発明の映像信号処理方法は、カメラ装置に接続され、映像を構成するリターン信号をフレームごとに記憶するリターン用フレームメモリと、前記映像に同期する情報を構成するプロンプタ信号をフレームごとに記憶するプロンプタ用フレームメモリとを備えた映像信号処理装置が、所定のタイミングで、信号の読み出し先を前記リターン用フレームメモリと前記プロンプタ用フレームメモリとで切り替えて、順次フレームごとに信号を読み出して前記カメラ装置に送信し、前記カメラ装置が、前記映像信号処理装置から送信された信号をリターン信号とプロンプタ信号とに分離し、それぞれ異なるモニタに表示させることを特徴とする。
【発明の効果】
【００１１】
本発明の映像信号処理システム、映像信号処理装置、および映像信号処理方法によれば、簡易な構成で、リターン信号とプロンプタ信号とをＣＣＵからカメラ装置に送信して同時に表示させることができる。
【図面の簡単な説明】
【００１２】
【図１】本発明の一実施形態による映像信号処理システムの構成を示す全体図である。
【図２】本発明の一実施形態による映像信号処理システムの構成を示すブロック図である。
【図３】本発明の一実施形態による映像信号処理システムの動作を示すシーケンス図である。
【図４】本発明の一実施形態による映像信号処理システムのＣＣＵで処理される、（ａ）第１リターン信号Ｒ1の構成を示す説明図、（ｂ）プロンプタ信号Pの構成を示す説明図、および、（ｃ）送信信号の構成を示す説明図である。
【図５】本発明の一実施形態による映像信号処理システムの第４カメラ装置で処理される、（ａ）受信信号の構成を示す説明図、（ｂ）第１リターン信号R1の構成を示す説明図、および、（ｃ）プロンプタ信号Pの構成を示す説明図である。
【発明を実施するための形態】
【００１３】
〈一実施形態による映像信号処理システムの構成〉
本発明の一実施形態による映像信号処理システムの構成について、図１を参照して説明する。本実施形態において、映像信号処理システム１は放送局等の撮影スタジオSに設置された複数台のカメラ装置（第１カメラ装置１０、第２カメラ装置２０、第３カメラ装置３０、および第４カメラ装置４０）と、これらのカメラ装置１０〜４０で撮影された映像の調整を行う調整室Tに設置された情報入力装置５０および映像信号処理装置としてのカメラコントロールユニット（ＣＣＵ）６０を備える。ＣＣＵ６０は、カメラ装置１０〜４０それぞれに例えばＳＤＩ（Serial Digital Interface）ケーブルで接続されるとともに、情報入力装置５０に信号線で接続されている。
【００１４】
本実施形態において第１カメラ装置１０、第２カメラ装置２０、第３カメラ装置３０、および第４カメラ装置４０は、同一の被写体であるアナウンサーXを異なる方向から撮影する。そして、第１カメラ装置１０は、撮影処理で生成した映像信号を、第１リターン信号R1としてＣＣＵ６０に送信する。同様に、第２カメラ装置２０、第３カメラ装置３０は、撮影処理で生成した映像信号をそれぞれ、第２リターン信号R2、第３リターン信号R3、として、ＣＣＵ６０に送信する。以下、第１リターン信号R1、第２リターン信号R2、第３リターン信号R3のうち、いずれのリターン信号であるかを特定しない場合には、「リターン信号R」と記載する。
【００１５】
また、第４カメラ装置４０には、第１モニタとしてのカメラモニタ７０が設置されている。また、第４カメラ装置４０には、第２モニタとしてのプロンプタ用モニタ８０が信号線で接続されている。
【００１６】
情報入力装置５０は、被写体のアナウンサーXが読む原稿のテキスト情報を含む映像信号を、プロンプタ信号PとしてＣＣＵ６０に入力する。
【００１７】
ＣＣＵ６０および第４カメラ装置４０の詳細な構成について、図２を参照して説明する。ＣＣＵ６０は、第１−１リターン用フレームメモリ６０１と、第１−２リターン用フレームメモリ６０２と、第１−３リターン用フレームメモリ６０３と、第１プロンプタ用フレームメモリ６０４と、光インタフェース（ＩＦ）部６０５と、第１セレクタ６０６と、メモリコントローラ６０７と、画像比較回路６０８とを有する。
【００１８】
第１−１リターン用フレームメモリ６０１は、第１カメラ装置１０から送信された第１リターン信号R1を書き込み、フレームごとに記憶する。第１−２リターン用フレームメモリ６０２は、第２カメラ装置２０から送信された第２リターン信号R2を書き込み、フレームごとに記憶する。第１−３リターン用フレームメモリ６０３は、第３カメラ装置３０から送信された第３リターン信号R3を書き込み、フレームごとに記憶する。第１プロンプタ用フレームメモリ６０４は、情報入力装置５０から送信されたプロンプタ信号Pを書き込み、フレームごとに記憶する。
【００１９】
光ＩＦ部６０５は、第４カメラ装置４０との光通信を行う。第１セレクタ６０６は、第１−１リターン用フレームメモリ６０１、第１−２リターン用フレームメモリ６０２、第１−３リターン用フレームメモリ６０３、第１プロンプタ用フレームメモリ６０４のいずれかから順次フレームごとに信号を読み出して、光ＩＦ部６０５を介して第４カメラ装置４０に送信する。その際、読み出し先のフレームメモリを、メモリコントローラ６０７からの指示に基づいて切り替える。
【００２０】
メモリコントローラ６０７は、光ＩＦ部６０５を介して後述するように第４カメラ装置４０から、第１カメラ装置１０〜第３カメラ装置３０のうちいずれかを指定する情報を取得すると、指定されたカメラ装置以外のカメラ装置に対応するリターン用フレームメモリに対し、リターン信号Rの書き込みを停止させるための書き込み停止指令を送出しても良い。またメモリコントローラ６０７は、所定のタイミングで、第１セレクタ６０６に対し、信号の読み出し先をいずれかのリターン用フレームメモリと第１プロンプタ用フレームメモリ６０４とで切り替えさせるための切替指令を送出する。
【００２１】
第１−１リターン用フレームメモリ６０１、第１−２リターン用フレームメモリ６０２、第１−３リターン用フレームメモリ６０３、および第１プロンプタ用フレームメモリ６０４はフレームシンクロナイザー機能を有し、第1カメラ装置１０、第２カメラ装置２０、第３カメラ装置３０から送信されるリターン信号Rと情報入力装置５０から送信されるプロンプタ信号Pとが非同期であっても、第１セレクタ６０６による読み出し処理を同期させることができる。
【００２２】
画像比較回路６０８は、第１プロンプタ用フレームメモリ６０４に既に記憶されたフレームの画像情報と、新たに情報入力装置５０から取得されたプロンプタ信号Pとを比較し、プロンプタ信号Pのフレーム画像が変化したか否かを判定する。
【００２３】
第４カメラ装置４０は、撮像レンズ４０１と、撮像素子４０２と、カメラ信号処理部４０３と、操作スイッチ４０４と、光ＩＦ部４０５と、マイコン４０６と、信号分離部４０７と、第２リターン用フレームメモリ４０８と、第２プロンプタ用フレームメモリ４０９と、第２セレクタ４１０と、プロンプタ信号出力端子４１１とを有する。
【００２４】
撮像素子４０２は、例えばＣＭＯＳイメージセンサーが用いられ、撮像レンズ４０１から入射した光線を電気信号に変換する。カメラ信号処理部４０３は、撮像素子で変換された電気信号から撮像情報を生成する。
【００２５】
操作スイッチ４０４は、撮影者により操作されるスイッチであり、カメラモニタ７０に、第４カメラ装置４０自身で撮影した映像を表示させるか、他のカメラ装置（第１カメラ装置１０、第２カメラ装置２０、または第３カメラ装置３０）で撮影された映像を表示させるかを指定する。また、他のカメラ装置で撮影された映像を表示させる場合には、該当するカメラ装置を指定する。光ＩＦ部４０５は、ＣＣＵ６０との光通信を行う。マイコン４０６は、操作スイッチ４０４で指定された、第４カメラ装置４０自身で撮影した映像を表示させるか、他のカメラ装置で撮影された映像を表示させるかを示す情報を、第２セレクタ４１０に送出する。またマイコン４０６は、操作スイッチ４０４で他のカメラ装置が指定された場合には、該当する他のカメラ装置を識別する情報を、光ＩＦ部４０５を介してＣＣＵ６０に送信する。
【００２６】
信号分離部４０７は、ＣＣＵ６０から送信された信号を、光ＩＦ部４０５を介して取得し、リターン信号R部分とプロンプタ信号P部分とに分離する。第２リターン用フレームメモリ４０８は、信号分離部４０７で分離されたリターン信号Rを書き込み、フレームごとに記憶する。第２プロンプタ用フレームメモリ４０９は、信号分離部４０７で分離されたプロンプタ信号Pを書き込み、フレームごとに記憶する。
【００２７】
第２セレクタ４１０は、マイコン４０６から、第４カメラ装置４０自身で撮影した映像を表示させることが指定されると、カメラ信号処理部４０３で生成された撮像情報をカメラモニタ７０に表示させる。また、第２セレクタ４１０は、マイコン４０６から、他のカメラ装置で撮影された映像を表示させることが指定されると、第２リターン用フレームメモリ４０８に記憶されたリターン信号Rを読み出し、カメラモニタ７０送信する。このようにして、操作スイッチ４０４で指定されたカメラ装置で撮影された映像が、カメラモニタ７０に表示される。
【００２８】
プロンプタ信号出力端子４１１は、第２プロンプタ用フレームメモリ４０９に記憶されたプロンプタ信号Pを読み出し、プロンプタ用モニタ８０に送信する。これにより、カメラモニタ７０に表示されている映像に同期する原稿の情報が、プロンプタ用モニタ８０に表示される。
【００２９】
〈一実施形態による映像信号処理システムで実行される処理〉
上述したように構成された映像信号処理システム１で実行される処理について、図３のシーケンス図を参照して説明する。本実施形態において、第１カメラ装置１０〜第３カメラ装置３０では、同一の被写体であるアナウンサーXが撮影されている。第１カメラ装置１０による撮影処理で生成された第１リターン信号R1、第２カメラ装置２０による撮影処理で生成された第２リターン信号R2、および第３カメラ装置３０による撮影処理で生成された第３リターン信号R3は、それぞれＣＣＵ６０に送信される。また、情報入力装置５０から、当該撮影に同期させて表示させる、アナウンサーXが読む原稿のテキスト情報を含む映像信号（プロンプタ信号P）が、ＣＣＵ６０に送信される。
【００３０】
ＣＣＵ６０では、第１カメラ装置１０から送信された第１リターン信号R1、第２カメラ装置２０から送信された第２リターン信号R2、第３カメラ装置３０から送信された第３リターン信号R3が順次取得される。また、情報入力装置５０から送信されたプロンプタ信号Pが取得される（Ｓ１）。
【００３１】
一方、第４カメラ装置４０では、撮影者により操作スイッチ４０４が操作されることで、カメラモニタ７０に表示させる映像に対応するカメラ装置が指定される。ここでは、カメラモニタ７０に表示させる映像に対応するカメラ装置として、第１カメラ装置１０が指定されたものとする。
【００３２】
操作スイッチ４０４で第１カメラ装置１０を指定する操作が行われると、マイコン４０６により、指定された第１カメラ装置１０の識別情報が光ＩＦ部４０５を介してＣＣＵ６０に送信される（Ｓ２）。ＣＣＵ６０では、第４カメラ装置４０から送信された第１カメラ装置１０の識別情報が光ＩＦ部６０５を介してメモリコントローラ６０７で取得される。
【００３３】
メモリコントローラ６０７は、各フレームメモリーに対し、取得した信号の書き込みを指示するが、第４カメラ装置４０から第１カメラ装置１０の識別情報を取得すると、当該第１カメラ装置１０以外のカメラ装置に対応するリターン用フレームメモリに対し、リターン信号Rの書き込みを停止させるための書き込み停止指令を送出するようにしても良い（Ｓ３）。ここでは、第２カメラ装置２０に対応する第１−２リターン用フレームメモリ６０２および第３カメラ装置３０に対応する第１−３リターン用フレームメモリ６０３に対し、書き込み停止指令を送出する。
【００３４】
これにより、第１カメラ装置１０に対応する第１−１リターン用フレームメモリ６０１に第１リターン信号R1が書き込まれ、第１プロンプタ用フレームメモリ６０４にプロンプタ信号Pが書き込まれる。
【００３５】
また、メモリコントローラ６０７は、第１セレクタ６０６に対し、所定のタイミングで、信号の読み出し先を第１−１リターン用フレームメモリ６０１と第１プロンプタ用フレームメモリ６０４とで切り替えさせるための切替指令を送出することで、フレーム読み出し処理の切替制御を行う（Ｓ４）。
【００３６】
以下に、メモリコントローラ６０７から第１セレクタ６０６に対して実行される、フレーム読み出し処理の切替制御パターン(1)〜(3)について説明する。
【００３７】
［切替制御パターン(1)］
切替制御パターン(1)では、メモリコントローラ６０７は、第１セレクタ６０６による信号の読み出し先を、１フレームごとに、第１−１リターン用フレームメモリ６０１と第１プロンプタ用フレームメモリ６０４とで切り替えるように、切替指令を送出する。第１セレクタ６０６による読み出し先を、１フレームごとにリターン信号Rとプロンプタ信号Pとで切り替えることで、プロンプタ信号Pの映像がスクロール処理等で変化する場合でも、撮影による映像と同期させつつ、同時に表示させることができる。
【００３８】
［切替制御パターン(2)］
切替制御パターン(2)では、メモリコントローラ６０７は、第１セレクタ６０６による信号の読み出し先を、予め設定されたフレーム数ごとに、第１−１リターン用フレームメモリ６０１と第１プロンプタ用フレームメモリ６０４とで切り替えるように、切替指令を送出する。例えば、第１−１リターン用フレームメモリ６０１から１０フレームのリターン信号R1を読み出すごとに、第１プロンプタ用フレームメモリ６０４から１フレームのプロンプタ信号Pを読み出すように、切替指令を送出する。このように切り替えることで、プロンプタ信号Pで構成される映像に変化が少ない場合に、なるべくリターン信号Rの映像品質を低下させないようにしつつ、これらの映像を同期させて、同時に表示させることができる。
【００３９】
［切替制御パターン(3)］
切替制御パターン(3)では、メモリコントローラ６０７は、第１セレクタ６０６による信号の読み出し先を、画像比較回路６０８による画像比較結果に基づいて、プロンプタ信号Pのフレーム画像が変化したタイミングで、第１−１リターン用フレームメモリ６０１と第１プロンプタ用フレームメモリ６０４とで切り替えるように、切替指令を送出する。
【００４０】
画像比較回路６０８では、第１プロンプタ用フレームメモリ６０４に既に記憶されたフレームの画像情報と、新たに情報入力装置５０から取得されたプロンプタ信号Pとが比較され、プロンプタ信号Pのフレーム画像が変化したか否かが判定されている。ここで、プロンプタ信号Pのフレーム画像が変化したと判定されると、当該判定結果がメモリコントローラ６０７に送出される。
【００４１】
第１セレクタ６０６では、通常時は第１−１リターン用フレームメモリ６０１から第１リターン信号R1が継続して読み出されている。そして、メモリコントローラ６０７は、画像比較回路６０８からプロンプタ信号Pのフレーム画像が変化したことを示す判定結果の情報を取得すると、第１セレクタ６０６に対し、１フレーム分、読み出し先を第１−１リターン用フレームメモリ６０１から第１プロンプタ用フレームメモリ６０４に切り替えるように、切替指令を送出する。
【００４２】
このように切り替えることで、プロンプタ信号Pで構成される映像の変化の頻度がさらに低く、例えば所定時間ごとに変化する静止画像で構成される場合に、なるべくリターン信号Rの映像品質を低下させないようにしつつ、これらの映像を同期させて、同時に表示させることができる。
【００４３】
［切替制御パターン(4)］
切替制御パターン(4)では、メモリコントローラ６０７は画像比較回路６０８から送出される判定結果の情報を所定期間分保持し、第１セレクタ６０６による信号の読み出し先を、所定期間内におけるプロンプタ信号Pのフレーム画像の変化の度合いに応じて設定したフレーム数ごとに、第１−１リターン用フレームメモリ６０１と第１プロンプタ用フレームメモリ６０４とで切り替えるように、切替指令を送出する。
【００４４】
メモリコントローラ６０７では、所定期間内に画像比較回路６０８から取得されるプロンプタ信号Pのフレーム画像の変化の有無を示す判定結果の情報に基づいて、プロンプタ信号Pのフレーム画像の変化の度合いを示す情報が取得される。
【００４５】
第１セレクタ６０６では、通常時は第１−１リターン用フレームメモリ６０１から第１リターン信号R1が継続して読み出されている。そして、メモリコントローラ６０７は、取得したプロンプタ信号Pのフレーム画像の変化の度合いを示す情報に基づいて、変化の度合いが小さいほど多いフレーム数ごとに、第１−１リターン用フレームメモリ６０１と第１プロンプタ用フレームメモリ６０４とで切り替えるように、切替指令を送出する。
【００４６】
例えば、プロンプタ信号Pのフレーム信号の変化の度合いが大きい場合（変化の頻度が多い場合）には、第１−１リターン用フレームメモリ６０１から２フレームのリターン信号R1を読み出すごとに、第１プロンプタ用フレームメモリ６０４から１フレームのプロンプタ信号Pを読み出すように切替指令を送出する。一方、プロンプタ信号Pのフレーム信号の変化の度合いが小さい場合(変化の頻度が低い場合)には、第１−１リターン用フレームメモリ６０１から１０フレームのリターン信号R1を読み出すごとに、第１プロンプタ用フレームメモリ６０４から１フレームのプロンプタ信号Pを読み出すように切替指令を送出する。
【００４７】
このように切り替えることで、プロンプタ信号Pによる映像のフレーム画像の変化の度合いが変わる場合にも、なるべくリターン信号Rの映像品質を低下させないようにしつつ、これらの映像を同期させて、同時に表示させることができる。
【００４８】
以上で、メモリコントローラ６０７から第１セレクタ６０６に対して実行される、フレーム読み出し処理の切替制御パターンの説明を終了する。
【００４９】
第１セレクタ６０６は、メモリコントローラ６０７からの切替制御に基づいて読み出し先のフレームメモリを切り替えながら、読み出した信号を、光ＩＦ部６０５を介して第４カメラ装置４０に送信する（Ｓ５）。
【００５０】
ＣＣＵ６０から第４カメラ装置４０に送信される信号について、図４を参照して説明する。ここでは、時刻t1からt11に入力された第１リターン信号R1のフレーム画像が図４（ａ）に示すように並んでおり、これに同期する情報として入力されたプロンプタ信号Pのフレーム画像が図４（ｂ）に示すように並んでいる。プロンプタ信号Pのフレーム画像は静止画像であり、t3およびt8のタイミングで、変化している。
【００５１】
そして、上述した切替制御パターン(3)に基づいて第１セレクタ６０６による読み出し先の切換制御が行われる場合には、プロンプタ信号Pのフレーム画像が変化したt3のタイミング、および、t8のタイミングで、メモリコントローラ６０７から第１セレクタ６０６に切替指令が送出される。
【００５２】
そして、第１セレクタ６０６において、切替指令が取得されたt3およびt8のタイミングで、１フレーム分の読み出し先が、第１−１リターン用フレームメモリ６０１から第１プロンプタ用フレームメモリ６０４に切り替えられ、図４（ｃ）に示すような送信信号が第４カメラ装置４０に送信される。
【００５３】
第４カメラ装置４０で取得された信号の処理について、図５を参照して説明する。第４カメラ装置４０では、ＣＣＵ６０から送信された、図５（ａ）のように示される信号が光ＩＦ部４０５を介して信号分離部４０７で受信され、第１リターン信号R1部分とプロンプタ信号P部分とに分離される（Ｓ６）。そして、信号分離部４０７で分離された第１リターン信号R1が第２リターン用フレームメモリ４０８に書き込まれ、フレームごとに記憶される。このとき、第１リターン信号R1は、図５（ｂ）に示すように、t3およびt8に該当する箇所でフレーム欠損状態が発生しているため、当該箇所に対し、１つ前のフレーム画像の情報で補間する処理が行われる。つまり、t3の箇所はt2と同一のフレーム画像で補間され、t8の箇所はt7と同一のフレーム画像で補間される。
【００５４】
そして、第２セレクタ４１０では、マイコン４０６からの指示により第１カメラ装置１０で撮影された映像を表示させることが指定されており、第２リターン用フレームメモリ４０８に記憶された第１リターン信号R1が順次読み出され、カメラモニタ７０に表示される（Ｓ７）。
【００５５】
また、信号分離部４０７で分離されたプロンプタ信号が第２プロンプタ用フレームメモリ４０９に書き込まれ、フレームごとに記憶される。このとき、プロンプタ信号PはＣＣＵ６０の第１セレクタ６０６で読み出されたタイミングのフレームのみで構成され、他の箇所ではフレーム欠損状態が発生しているため、プロンプタ信号Pが存在する箇所のフレーム画像で、次のプロンプタ信号Pのフレーム画像までの箇所が補間される。つまり、図５（ｃ）に示すように、プロンプタ信号Pが存在するt3のフレーム画像で、t4〜t7の箇所が補間される。また、t8のフレーム画像で、t9〜t11の箇所が補間される。このように補間処理が施された状態で、プロンプタ信号Pがプロンプタ用モニタ８０に表示される（Ｓ８）。
【００５６】
以上の実施形態によれば、ＣＣＵとカメラ装置とが１本のケーブルで接続された簡易な構成のシステムにおいて、リターン信号とプロンプタ信号との双方をＣＣＵからカメラ装置に送信して同時に表示させることができる。
【００５７】
上述した実施形態において、第１カメラ装置１０から送信される第１リターン信号R1、第２カメラ装置から送信される第２リターン信号R2、第３カメラ装置から送信される第３リターン信号R3、プロンプタ信号Pは、異なるフォーマットの映像信号であってもよい。例えば、4K映像信号とHD映像信号とが混在している場合には、ＣＣＵのフレームメモリの前段に設置した変換器６０９〜６１２で、フォーマットを揃えてからフレームメモリに書き込むことで対応可能になる。
【符号の説明】
【００５８】
１  映像信号処理システム
１０  第１カメラ装置
２０  第２カメラ装置
３０  第３カメラ装置
４０  第４カメラ装置
５０  情報入力装置
６０  カメラコントロールユニット（ＣＣＵ）
７０  カメラモニタ
８０  プロンプタ用モニタ
４０１  撮像レンズ
４０２  撮像素子
４０３  カメラ信号処理部
４０４  操作スイッチ
４０５  光ＩＦ部
４０６  マイコン
４０７  信号分離部
４０８  第２リターン用フレームメモリ
４０９  第２プロンプタ用フレームメモリ
４１０  第２セレクタ
４１１  プロンプタ信号出力端子
６０１  第１−１リターン用フレームメモリ
６０２  第１−２リターン用フレームメモリ
６０３  第１−３リターン用フレームメモリ
６０４  第１プロンプタ用フレームメモリ
６０５  光インタフェース（ＩＦ）部
６０６  第１セレクタ
６０７  メモリコントローラ
６０８  画像比較回路
【図１】
2020096312.tif 000003
【図２】
2020096312.tif 000004
【図３】
2020096312.tif 000005
【図４】
2020096312.tif 000006
【図５】
2020096312.tif 000007